(57)【要約】【課題】ノック式筆記具におけるノック部に、ノック操作時における汗などによる滑り止め効果をもたらし、かつ従来とは違った見栄えがある斬新な意匠を得ることを目的とする。【解決手段】ノック式筆記具のノック部において、少なくとも軸筒より外方に突出して露出する部分に、略リング状又は一方の外周面から頭端面部を通って対向する他方の外周面に延びた帯状の硬質樹脂部材の硬質表面部と、その他の部分を２色成形により硬質樹脂部材上に軟質弾性樹脂部材を配設してなる、軟質表面部を設ける。【選択図】      図２
2004291378.tif 000002
【特許請求の範囲】
【請求項１】
軸筒の後端より突出したノック式筆記具のノック部において、少なくとも軸筒より外方に突出して露出する部分に、略リング状又は一方の外周面から頭端面部を通って対向する他方の外周面に延びた帯状の硬質樹脂部材の硬質表面部と、その他の部分を２色成形により硬質樹脂部材上に軟質弾性樹脂部材を配設してなる、軟質表面部を設けたことを特徴とする、ノック式筆記具のノック部。
【請求項２】
前記略リング状又は帯状の硬質表面部が、１カ所又は数カ所部分的に切断された帯状体である、請求項１に記載のノック式筆記具におけるノック部。
【請求項３】
前記ノック部を、軸筒の後端に着脱自在に設けてなる、請求項１または２に記載のノック式筆記具におけるノック部。
【請求項４】
前記略リング状又は帯状の硬質表面部と軟質表面部とを、略同一面状となるように形成してなる、請求項１ないし３の何れか１項に記載のノック式筆記具のノック部。
【発明の詳細な説明】
【０００１】
【発明の属する技術分野】
本発明は、ノック式筆記具におけるノック部に関する。
【０００２】
【従来の技術】
軸筒の把持部を握った際に、滑り止め防止や筆記時における疲労感を軽減するために、把持部にゴム又は熱可塑性エラストマーで形成したグリップ部材を軸筒と同時に２色成形により配設する方法が実用新案登録第２５３７２７４号公報により開示されており、当業者に広く知れ渡っている。
【０００３】
また、軸筒の後端より突出し、軸筒の前方へ押圧することにより筆記芯を軸筒先端から突出させるノック部を有するノック式筆記具において、軸筒、キャップ、先軸、クリップ、ノック部等の筆記具用外装部品に、手の汗等による滑り止めを防止するために、架橋型樹脂及び発泡剤の混合物により形成した発泡性樹脂層を設ける技術が、実公平５−２４５５９号公報により開示されている。
【特許文献１】
実用新案登録第２５３７２７４号公報
【特許文献２】
実公平５−２４５５９号公報
【０００４】
【発明が解決しようとする課題】
ノック部に滑り止め効果をもたらすために、ノック部の頭端部に軟質弾性樹脂層を２色成形により設けた構造では、ノック部の頭端部に装飾片を配設した構造や例えば円形状の色を変えてなる装飾部を施した構造のものが従来より多数提案されており、見栄え的に満足できないという問題がある。また、ノック部のほとんどは硬質樹脂や金属で形成されており、そうした材質のノック部に小形な装飾部を施しても、材質感から生じる印象の方が強く、看者に強い意匠を与えるのは難しい。
【０００５】
本発明は、前記問題を解消するためのもので、ノック式筆記具におけるノック部に、ノック操作時における汗などによる滑り止め効果をもたらし、かつ従来とは違った見栄えがある斬新な意匠感を得ることを目的とするものである。
【０００６】
【課題を解決するための手段】
本発明は、軸筒の後端より突出したノック式筆記具のノック部において、少なくとも軸筒より外方に突出して露出する部分に、略リング状又は一方の外周面から頭端面部を通って対向する他方の外周面に延びた帯状の硬質樹脂部材の硬質表面部と、その他の部分を２色成形により硬質樹脂部材上に軟質弾性樹脂部材を配設してなる、軟質表面部を設けたことを特徴とする、ノック式筆記具のノック部である。
【０００７】
本発明において略リング状とは、周状に連続した状態のみならず１カ所又は数カ所部分的に切断された状態のものもさす。また帯状においても、同様に長手方向に連続した状態のみならず１カ所又は数カ所部分的に切断された状態のものもさす。例えば、略リング状において、前者のような全周に連続した状態の硬質表面部を設けると、軟質表面部がノック部の軸心に沿った方向において分断されるので、前後に軟質表面部を形成するためのゲートが２つ必要となり、金型構造が複雑となる。後者では、２色成形時において、分断された部分から前後に軟質弾性樹脂部材が流れるので１つのゲートですみ、金型構造も前者に比べて容易である。
【０００８】
本発明は、特にノック式筆記具がシャープペンシルである場合には、ノック部内に配設した消しゴムを使用する際に、あるいは鉛芯を補充する際に、ノック部を軸筒の後端から外す必要があるが、ノック部を挟持して引っ張る際に汗などで滑ってしまうことを防ぐことができるので、ノック部が軸筒の後端に着脱自在に設けた構造のノック式筆記具に採用すればさらに効果的である。
【０００９】
本発明において、前記略リング状又は帯状の硬質表面部を、軟質表面部と略同一面状とすることにより、ノック部の操作時に軟質表面部の中に位置する硬質表面部との縁部が指に引っかかり、軟質表面部が捲れてしまうという問題を防止することができる。
【００１０】
また本発明は、硬質表面部である略リング状又は帯状の幅や数や色を相違させて用いることにより、ノック式筆記具がボールペン、シャープペンシル又はマーカーであるか、またはボールペンにおけるボール径の大きさが何であるか、またはボールペン等において軸筒内に収容されたインキの色が何であるかを視覚的に判別するための手段とすることが可能である。
【００１１】
本発明における硬質樹脂部材としては、ポリプロピレン、ポリカーボネート、アクリルニトリル−ブタジエン−スチレン（ＡＢＳ樹脂）等が挙げられる。軟質弾性樹脂部材としては、ポリオレフィン系エラストマー、ポリスチレン系エラストマー、ポリエステル系エラストマー、ポリ塩化ビニル系エラストマー、ポリウレタン系エラストマー等の熱可塑性エラストマーや熱接着性エラストマー（熱融着性エラストマー）等が挙げられるが、硬質樹脂部材との接着性を考えると、熱接着性エラストマー（熱融着性エラストマー）を用いるほうが好ましい。
【００１２】
ところで、ノック部とは、前記したようにシャープペンシルにおいて消しゴムを挿着したノック体の後端に、あるいは筆記先端を繰り出すためのノック体の後端にキャップ（頭冠）を嵌合した構造のものにおいては、キャップ（頭冠）がノック部である。
【００１３】
【発明の実施の形態】
本発明の実施の形態を、図面を用いて説明する。
第１の実施の形態を示すノック式筆記具におけるノック部１は、図１〜図４に示すように、ノック式ボールペン２のノック部としてあるが、これに限定されるものではない。図１に示すノック式ボールペン２は、従来から良く知られている構造のもので、軸筒３内に、ボールペンレフィール４をコイルスプリング５により軸筒３の後端部３ａ方向に付勢して配設し、押棒６と回転カム７とカム溝（図示せず）で構成された繰出機構を具備した構造のものである。ノック部１は押棒６の後端に螺着により設けてあるが、螺着の代わりに圧入により設けても良い。
【００１４】
本実施の形態を示すノック部１は、押棒６に螺着して軸筒３の後端に位置させた際に、軸筒３の後端に没入する任意の部分から頭端部１ａにかけて、ポリエステル系エラストマー等の軟質弾性部材からなる軟質表面部８を有し、その他の部分をＡＢＳ樹脂等の硬質樹脂からなる硬質表面部９として、２色成形により形成してある。前記軟質表面部８の軸筒より外方に突出して露出した外周部分には、図２及び図３に示すような２カ所が途切れた略リング状の硬質表面部９を、前記軟質表面部８と略同一面状にして設けてある。
【００１５】
前記ノック部１は、硬質樹脂で１次成形し、前記所望したような位置に軟質表面部８が配設するように軟質弾性部材により２次成形する。その際、ノック部１の側面に、硬質表面部９が前記したような略リング状に露出するように突起部１０を形成する。
【００１６】
図５〜図７に示す他の実施の形態を示すノック部２１は、前記実施例と同様に、軸筒（図示せず）の後端に位置させた際に、軸筒の後端に没入する任意の部分から頭端部２１ａにかけて、２色成形によりポリエステル系エラストマー等の軟質弾性部材からなる軟質表面部２２を設けてある。前記軟質表面部２２には、一方の外周面から頭端部２１ａを通って対向する他方の外周面に延びた、前記軟質表面部２２と略同一面状の帯状の硬質表面部２３を設けてある。
【００１７】
前記ノック部２１は、前記実施の形態を示すノック部１と同様に、硬質樹脂で１次成形し、前記所望したような位置に軟質表面部８が配設するように軟質弾性部材により２次成形する。その際、一方の外周面から頭端部２１ａを通って対向する他方の外周面に延びた、軟質表面部２２と同一高さとなるように帯状に突出した突起部２４を形成する。
【００１８】
図示はしていないが、ノック部が、軸筒より外方に突出した状態から、軸筒の外方側に着脱自在に、乗り越し嵌合、圧入や螺合により装着した構造のものにおいては、例えば、シャープペンルのように、軸筒の後端に装着された消しゴムを使用するためにあるいは鉛芯を補充する際に、ノック部を取り外す必要があるが、その際、軟質弾性部材は硬質弾性樹脂部材に比べ摩擦抵抗が高く、ノック部を掴んだ時に回転方向や軸心方向へ移動させ易く、着脱操作が容易になるので本発明の効果は特に顕著となる。
【００１９】
【発明の効果】
本発明は前述したような構成のノック式筆記具におけるノック部なので、ノック操作時の滑り止め効果をもたらすことは言うまでもなく、ノック部の感触も良く、また従来金属製あるいは硬質樹脂製であったノック部に、軟質弾性樹脂部材からなる軟質表面部を設けるので、看者に強い印象を与えることができる。
【００２０】
また、略リング状や帯状の幅や数や硬質樹脂の色を種々変えることにより、ノック式筆記具がボールペン、シャープペンシル又はマーカーであるか、またはボールペンにおけるボール径がどの大きさのボール径であるか、または軸筒内に収容されたインキの色が何であるかを、知らせるための視覚的な判別手段とすることが可能である。
【図面の簡単な説明】
【図１】本発明の実施の形態を示すノック部を具備したノック式筆記具の縦断面図である。
【図２】図１におけるノック部の部分の拡大図である。
【図３】図２におけるＡ−Ａ線部分の横断面図である。
【図４】本発明の実施の形態を示すノック部の要部の拡大側面図である。
【図５】他の実施の形態を示す、ノック部の要部の拡大側面図。
【図６】図５におけるノック部の頭部からみた平面図である。
【図７】図５におけるＢ−Ｂ線部分の横断面図である。
【符号の説明】
１、２１  ノック部
８、２２  軟質表面部
９、２３  硬質表面部
【図１】
2004291378.tif 000003
【図２】
2004291378.tif 000004
【図３】
2004291378.tif 000005
【図４】
2004291378.tif 000006
【図５】
2004291378.tif 000007
【図６】
2004291378.tif 000008
【図７】
2004291378.tif 000009